(57)【特許請求の範囲】
【請求項１】
ガイドピンおよびコンタクトを備え、
前記ガイドピンは導電性材料からなり、頭部と、前記頭部に接続された軸部とを有し、前記頭部に接続された前記軸部の先端の直径は前記頭部よりも小さい寸法であり、
前記コンタクトは導電性かつ弾性を有する薄板のばね材料からなり、前記軸部の前記先端に巻装される第１筒状片と、前記頭部とは反対に位置する前記軸部の基端に巻装される第２筒状片と、それら第１筒状片と第２筒状片との間を接続する複数の接片とを有し、
前記複数の接片は、前記軸部の周方向に間隔をおき前記軸部の長手方向に沿って延在すると共にその延在方向の中間部が前記軸部の外周面の半径方向外方に離れた箇所に位置し前記外周面に対して接近離間可能な接触部として形成され、
前記第１筒状片および前記第２筒状片の一方は、前記軸部の外周面に弾接することで、あるいは、固定されることで前記軸部に電気的に導通し、
前記第１筒状片および前記第２筒状片の他方は、前記軸部の外周面との間に環状の空間を介在させて配置されている、
電気接触子。
【請求項２】
前記複数の接片の延在方向の中間部は、前記第１筒状片と前記第２筒状片よりも前記軸部の半径方向外方に離れた箇所に位置している、
請求項１記載の電気接触子。
【請求項３】
前記第１筒状片が前記軸部の前記先端に巻装された状態で、前記第１筒状片の直径は、前記頭部の直径よりも小さい寸法で形成されている、
請求項１記載の電気接触子。
【請求項４】
前記複数の接片は、前記軸部の外周面から離れつつ前記第１筒状片から前記第２筒状片に向かって延在する第１傾斜片と、前記軸部の外周面から離れつつ前記第２筒状片から前記第１筒状片に向かって延在する第２傾斜片と、それら第１傾斜片および第２傾斜片が接続される頂部とを有し、
前記接触部は、前記屈曲された山形の頂部を含んで構成されている、
請求項１記載の電気接触子。
【請求項５】
前記複数の接片は、その延在方向の中間部が前記第１筒状片と前記第２筒状片よりも前記軸部の半径方向外方に離れた箇所に位置するように山形に屈曲され、
前記接触部は、前記屈曲された山形の頂部を含んで構成されている、
請求項１記載の電気接触子。
【請求項６】
前記複数の接片は、その延在方向の中間部が前記第１筒状片と前記第２筒状片よりも前記軸部の半径方向外方に離れた箇所に位置するように山形に屈曲され、
前記接触部は、前記屈曲された山形の頂部を含んで構成され、
前記第２筒状片から前記山形の頂部までの距離をＬ１とし、前記第１筒状片から前記山形の頂部までの距離をＬ２とした場合に、Ｌ１＞Ｌ２の関係を満たし、かつ、Ｌ２＜（Ｌ１＋Ｌ２）／２を満たしている、
請求項１記載の電気接触子。
【請求項７】
ガイドピンおよびコンタクトからなる電気接触子を備え、
前記ガイドピンは導電性材料からなり、頭部と、前記頭部に接続された軸部とを有し、前記頭部に接続された前記軸部の先端の直径は前記頭部よりも小さい寸法であり、
前記コンタクトは導電性かつ弾性を有する薄板のばね材料からなり、前記軸部の前記先端に巻装される第１筒状片と、前記頭部とは反対に位置する前記軸部の基端に巻装される第２筒状片と、それら第１筒状片と第２筒状片との間を接続する複数の接片とを有し、
前記複数の接片は、前記軸部の周方向に間隔をおき前記軸部の長手方向に沿って延在すると共にその延在方向の中間部が前記軸部の外周面の半径方向外方に離れた箇所に位置し前記外周面に対して接近離間可能な接触部として形成され、
前記第１筒状片および前記第２筒状片の一方は、前記軸部の外周面に弾接することで、あるいは、固定されることで前記軸部に電気的に導通し、
前記第１筒状片および前記第２筒状片の他方は、前記軸部の外周面との間に環状の空間を介在させて配置されている、
電子機器。
【発明の詳細な説明】
【技術分野】
【０００１】
本発明は電気接触子および電子機器に関する。
【背景技術】
【０００２】
バッテリーが装脱可能に設けられたビデオカメラなどの電子機器が提供されている（特許文献１参照）。
バッテリーには電源供給用のバッテリー側電気接触子が設けられ、電子機器には電子機器側電気接触子が設けられている。
そして、バッテリーが電子機器のバッテリー取付部に取り付けられることにより、バッテリー側電気接触子が電子機器側電気接触子に電気的に接触され、バッテリーの電源がバッテリー側電気接触子から電子機器側電気接触子を介して電子機器に供給される。
【特許文献１】特開２００５−２３４５６３
【発明の開示】
【発明が解決しようとする課題】
【０００３】
ところで、近年、電子機器に対応するバッテリーが該電子機器を製造するメーカーとは異なるメーカーから提供されていることも多く、場合によっては、バッテリー側電気接触子の寸法にばらつきが含まれたバッテリーが市場に出回ってきているのが現状である。
このようなバッテリーを電子機器に装着した場合、バッテリー側電気接触子の寸法のばらつきに起因して、バッテリー側電気接触子と電子機器側電気接触子とが安定して接触できず電気的な接触が不十分となることや、あるいは、バッテリー側電気接触子によって電子機器側電気接触子を構成する接片が過大な応力を受けて塑性変形することで電気的な接触が不十分となることが懸念されている。
本発明はこのような事情に鑑みなされたものであり、その目的は、電気的な接続を確実に行う上で有利な電気接触子およびそのような電気接触子を備えた電子機器を提供することにある。
【課題を解決するための手段】
【０００４】
上述の目的を達成するため、本発明の電気接触子は、ガイドピンおよびコンタクトを備え、前記ガイドピンは導電性材料からなり、頭部と、前記頭部に接続された軸部とを有し、前記頭部に接続された前記軸部の先端の直径は前記頭部よりも小さい寸法であり、前記コンタクトは導電性かつ弾性を有する薄板のばね材料からなり、前記軸部の前記先端に巻装される第１筒状片と、前記頭部とは反対に位置する前記軸部の基端に巻装される第２筒状片と、それら第１筒状片と第２筒状片との間を接続する複数の接片とを有し、前記複数の接片は、前記軸部の周方向に間隔をおき前記軸部の長手方向に沿って延在すると共にその延在方向の中間部が前記軸部の外周面の半径方向外方に離れた箇所に位置し前記外周面に対して接近離間可能な接触部として形成され、前記第１筒状片および前記第２筒状片の一方は、前記軸部の外周面に弾接することで、あるいは、固定されることで前記軸部に電気的に導通し、前記第１筒状片および前記第２筒状片の他方は、前記軸部の外周面との間に環状の空間を介在させて配置されている。
また、本発明の電子機器は、ガイドピンおよびコンタクトからなる電気接触子を備え、前記ガイドピンは導電性材料からなり、頭部と、前記頭部に接続された軸部とを有し、前記頭部に接続された前記軸部の先端の直径は前記頭部よりも小さい寸法であり、前記コンタクトは導電性かつ弾性を有する薄板のばね材料からなり、前記軸部の前記先端に巻装される第１筒状片と、前記頭部とは反対に位置する前記軸部の基端に巻装される第２筒状片と、それら第１筒状片と第２筒状片との間を接続する複数の接片とを有し、前記複数の接片は、前記軸部の周方向に間隔をおき前記軸部の長手方向に沿って延在すると共にその延在方向の中間部が前記軸部の外周面の半径方向外方に離れた箇所に位置し前記外周面に対して接近離間可能な接触部として形成され、前記第１筒状片および前記第２筒状片の一方は、前記軸部の外周面に弾接することで、あるいは、固定されることで前記軸部に電気的に導通し、前記第１筒状片および前記第２筒状片の他方は、前記軸部の外周面との間に環状の空間を介在させて配置されている。
【発明の効果】
【０００５】
第１筒状片および第２筒状片の一方を軸部の外周面に弾接することで、あるいは、固定されることで軸部に電気的に導通し、第１筒状片および第２筒状片の他方を軸部の外周面との間に環状の空間を介在させて配置したので、コンタクトの接片に過大な応力が発生することがなく、接片の塑性変形を回避できるため、電気的な接続を確実に行う上で有利となる。
【発明を実施するための最良の形態】
【０００６】
次に、本発明の実施の形態について図面を参照して説明する。
図１は本実施の形態の撮像装置１０の側面図、図２は撮像装置１０およびバッテリー２０の装脱を説明する説明図である。
図１に示すように、本実施の形態では、電子機器は放送局などで使用される業務用の撮像装置（ビデオカメラ）１０であり、撮像装置１０にはバッテリー２０が装脱可能に装着される。
【０００７】
図１に示すように、撮像装置１０は、前後に延在するカメラボディ１２を備えている。
なお、カメラボディ１２において、左右は、撮像装置１０を後方から見た状態でいうものとし、また、撮像光学系の光軸方向で被写体側を前方といい、撮像素子側を後方という。
カメラボディ１２の上面に撮像装置１０を携帯するためのハンドル１２Ａが設けられている。
カメラボディ１２の前部にレンズ鏡筒１４が装着されている。
レンズ鏡筒１４は、不図示の撮像光学系を収容するものである。
カメラボディ１２には、不図示の撮像素子、信号処理部、記録再生部などが設けられている。
【０００８】
前記撮像素子は、前記撮像光学系によって導かれた被写体像を撮像するものであり、ＣＣＤ、あるいは、Ｃ−ＭＯＳセンサなどの従来公知のさまざまな撮像素子が採用可能である。
【０００９】
図１、図２に示すように、バッテリー２０は不図示のセルを収容した長方形板状のケース２０Ａを有している。
ケース２０Ａは、厚さと、厚さよりも大きな寸法の幅と、幅よりも大きな寸法の長さとを有している。
ケース２０Ａの長さ方向の一方に位置する端面２００２には、前記セルからの電源を撮像装置１０に供給するためのバッテリー側コネクタ２２が設けられている。
図７に示すように、バッテリー側コネクタ２２は、複数のバッテリー側電気接触子２４を含んで構成されている。
すなわち、端面２００２には、一端が端面２００２の外方に開放され長さ方向に延在する孔２００４が厚さ方向において同一の位置で幅方向に間隔をおいて複数設けられている。
各孔２００４にバッテリー側電気接触子２４が組み込まれている。
各バッテリー側電気接触子２４は、薄板状の金属板により円筒状に形成され、後述する電子機器側電気接触子４４が挿脱可能な内径で形成されている。
【００１０】
図１、図２に示すように、バッテリー２０の厚さ方向の一方に位置する面は同一平面上を延在する取り付け面２０１０として形成されている。
取り付け面２０１０には、図２に示すように、凹部２０１２と、バッテリー側係合部２０１４と、２本のガイド溝２０１６とが設けられている。
凹部２０１２は、取り付け面２０１０の幅方向の中央でバッテリー側コネクタ２２寄りの箇所に設けられ、ケース２０Ａの長さ方向に延在している。
バッテリー側係合部２０１４は、凹部２０１２の底面でバッテリー側コネクタ２２と反対寄りの箇所に膨出形成されている。
バッテリー側係合部２０１４は、バッテリー側コネクタ２２に向かうにしたがって次第に幅が狭くなる１対の傾斜面で構成されたあり２０１８で構成されている。
１対の傾斜面のうちの一方には、後述するロック爪３６０２が係合する係合凹部２０２０が形成されている。
２本のガイド溝２０１６は、凹部２０１２を幅方向外側で挟みケース２０Ａの長さ方向に平行して延在形成されている。
各ガイド溝２０１６の一端は、凹部１２１２の延在方向の中間部の両側方に位置し、他端は端面２００２に開放されている。
【００１１】
図２に示すように、カメラボディ１２の後面には、バッテリー２０を装着するバッテリー取り付け部３０が設けられている。
バッテリー取り付け部３０は、取り付け面３２と、電子機器側係合部３４と、ロック機構３６と、電子機器側コネクタ３８と、ガイド片３９などを含んで構成されている。
取り付け面３２は、カメラボディ１２の上下左右方向を通る同一平面上を延在している。
電子機器側係合部３４は、取り付け面３２の上下左右の中央から膨出形成されている。
電子機器側係合部３４は、バッテリー側係合部２０１４と係脱するものである。
電子機器側係合部３４は、あり２０１８と係脱可能に係合するあり溝３４０２で構成されている。
あり溝３４０２は、下方（電子機器側コネクタ３８）に向かうにしたがって次第に幅が狭くなる対向する１対の傾斜面を含んで構成されている。
【００１２】
ロック機構３６は、ロック爪３６０２と、ロック解除部材３６０４とを含んで構成されている。
ロック爪３６０２は、あり溝３４０２の一方の傾斜面からあり溝３４０２の内部に突出する方向に常時付勢されている。
ロック解除部材３６０４は、該ロック解除部材３６０４を操作することでロック爪３６０２をあり溝３４０２の内部から前記傾斜面を通り該傾斜面内に没入させるように構成されている。
【００１３】
ガイド片３９は、取り付け面３２の左右２箇所に設けられている。
このガイド片３９はバッテリー２０のバッテリー取り付け部３０への取り付け時に、バッテリー２０のガイド溝２０１６に係合し、バッテリー２０の係脱する方向への移動を案内するものである。
【００１４】
電子機器側コネクタ３８は、カメラボディ１２の後面で取り付け面３２の下方に臨む箇所に設けられている。
電子機器側コネクタ３８は、コネクタ本体４０と、スライドシャッター４２と、電子機器側電気接触子４４とを備え、電子機器側電気接触子４４に本発明が適用されている。
コネクタ本体４０は、各電子機器側電気接触子４４を保持するものであり、ねじなどによりカメラボディ１２に取り付けられる。
スライドシャッター４２はコネクタ本体４０に設けられ、図２に示す各電子機器側電気接触子４４を覆う閉塞位置と、図７に示す該閉塞位置から下方に後退し各電子機器側電気接触子４４を露出させる露出位置との間でスライド可能に設けられスライドシャッター４２は、前記閉塞位置に位置するように付勢されている。
電子機器側電気接触子４４の構成については後で詳述するが、電子機器側電気接触子４４は、バッテリー側電気接触子２４の内周に挿入される大きさで形成されている。電子機器側電気接触子４４がバッテリー側電気接触子２４の内周に挿入されることで接触子４４、２４が電気的に接触するように構成されている。
【００１５】
バッテリー２０をバッテリー取り付け部３０に取り付ける場合には、バッテリー２０のバッテリー側係合部２０１４を電子機器側係合部３４に臨ませつつ、バッテリー２０の取り付け面２０１０をバッテリー取り付け部３０の取り付け面３２に当て付ける。
そして、バッテリー２０を下方に移動させると、バッテリー側コネクタ２２の部分がスライドシャッター４２を付勢力に抗して押圧することで露出位置にスライドすると共に、バッテリー側電気接触子２４に電子機器側電気接触子４４が挿入され、導通される。
さらなるバッテリー２０の下方への移動により、バッテリー側係合部２０１４のあり２０１８が電子機器側係合部３４のあり溝３４０２に係合され、それ以上の下方への移動が停止される。
この際、バッテリー取り付け部３０のロック爪３６０２がバッテリー２０の係合凹部２０２０に係合し、これによりバッテリー２０のバッテリー取り付け部３０からの脱落が防止される。
【００１６】
バッテリー２０をバッテリー取り付け部３０から取り外す場合には、ロック解除部材３６０４を操作することで、ロック爪３６０２とバッテリー２０の係合凹部２０２０との係合を解除させ、この状態で、バッテリー２０を上方に移動させる。
バッテリー２０の上方への移動により、バッテリー側係合部２０１４のあり２０１８が電子機器側係合部３４のあり溝３４０２から外れると共に、バッテリー側電気接触子２４から電子機器側電気接触子４４が抜去され、これにより、バッテリー２０がバッテリー取り付け部３０から取り外される。
バッテリー２０の取り外しにより、スライドシャッター４２は露出位置から閉塞位置に戻り、電子機器側電気接触子４４はスライドシャッター４２によって隠された状態となる。
【００１７】
次に電子機器側電気接触子４４について説明する。
図３は電子機器側電気接触子４４の斜視図、図４は電子機器側電気接触子４４の断面図、図５はコンタクト４８を構成するばね材料４９の斜視図、図６はコンタクト４８の斜視図である。
図３、図４に示すように、電子機器側電気接触子４４は、ガイドピン４６およびコンタクト４８を備えている。
ガイドピン４６は導電性材料からなり、頭部５０と、頭部５０に接続された軸部５２とを有している。
ガイドピン４６の導電性材料としては、りん青銅など従来公知のさまざまな材料が採用可能である。
図４に示すように、頭部５０に接続された軸部５２の先端５２１２は、頭部５０の直径よりも小さい寸法の均一径の円筒面で形成されている。
また、頭部５０とは反対に位置する軸部５２の基端５２１４は、先端５２１２の直径よりも大きくかつ頭部５０の直径よりも小さい寸法の均一径の円筒面で形成されている。
基端５２１４の円筒面は、ガイドピン４６の延在方向の中間部まで延在している。
先端５２１２の端部から基端５２１４に向かい次第に外径が大きくなる円錐面により円錐面部５２１６が形成され、円錐面部５２１６は、ガイドピン４６の延在方向の中間部において基端５２１４の円筒面に接続されている。
なお、円錐面部５２１６と基端５２１４の円筒面とが接続された部分は、コンタクト５８の山形の頂部５８０６に対応した箇所となっている。
【００１８】
コンタクト４８は、図５に示すように、導電性かつ弾性を有する薄板のばね材料４９からなる。
コンタクト４８のばね材料４９としては、ベリリウム銅、りん青銅など従来公知のさまざまな材料が採用可能である。
コンタクト４８は、図６に示すように、軸部５２の先端５２１２に巻装される第１筒状片５４と、頭部５０とは反対に位置する軸部５２の基端５２１４に巻装される第２筒状片５６と、それら第１筒状片５４と第２筒状片５６との間を接続する複数の接片５８とを有している。
複数の接片５８は、図３、図４に示すように、軸部５２の周方向に間隔をおき軸部５２の長手方向に沿って延在すると共にその延在方向の中間部が軸部５２の外周面５２０２の半径方向外方に離れた箇所に位置し外周面５２０２に対して接近離間可能な接触部６０として形成されている。
図３、図４に示すように、第１筒状片５４が軸部５２の先端に巻装された状態で、第１筒状片５４の直径は、頭部５０の直径よりも小さい寸法で形成されている。
第１筒状片５４および第２筒状片５６の一方は、軸部５２の外周面５２０２に弾接することで、あるいは、固定されることで軸部５２に電気的に導通し、本実施の形態では、第２筒状片５６が軸部５２に電気的に導通している。
なお、第１筒状片５４および第２筒状片５６の一方の軸部５２の外周面５２０２への固定は、例えば、溶接によってなされ、このように第１筒状片５４および第２筒状片５６の一方が軸部５２に固定された場合はコンタクト４８とガイドピン４６との電気的な接続を確実に確保する上でより好ましい。
図４に示すように、第１筒状片５４および第２筒状片５６の他方は、軸部５２の外周面５２０２との間に環状の空間Ｓを介在させて配置され、本実施の形態では、第１筒状片５４が軸部５２の外周面５２０２との間に環状の空間Ｓを介在させて配置されている。
【００１９】
図４に示すように、複数の接片５８は、第１傾斜片５８０２と、第２傾斜片５８０４と、それら第１傾斜片５８０２および第２傾斜片５８０４が接続される頂部５８０６とを有し、接触部６０は、頂部５８０６を含んで構成されている。
すなわち、第１傾斜片５８０２は、軸部５２の外周面５２０２から離れつつ第１筒状片５４から第２筒状片５６に向かって延在している。
また、第２傾斜片５８０４は、軸部５２の外周面５２０２から離れつつ第２筒状片５６から第１筒状片５４に向かって延在している。
そして、頂部５８０６は、それら第１傾斜片５８０２と第２傾斜片５８０４とを接続し、山形に屈曲されている。
すなわち、複数の接片５８の延在方向の中間部は、第１筒状片５４と第２筒状片５６よりも軸部５２の外周面５２０２の半径方向外方に離れた箇所に位置している。
第２筒状片５６から山形の頂部５８０６までの距離をＬ１とし、第１筒状片５４から山形の頂部５８０６までの距離をＬ２とした場合に、Ｌ１＞Ｌ２の関係を満たし、かつ、Ｌ２＜（Ｌ１＋Ｌ２）／２を満たしている。
このように構成することにより、電子機器側電気接触子４４を相手側のバッテリー側電気接触子２４に挿入した場合に、接触部６０をバッテリー側電気接触子２４の奥部寄りに位置させることができ、言い換えると、接触部６０が筒状のバッテリー側電気接触子２４の開口部２４０２（図７）近傍に留まることによって発生する接触不良の防止が図られている。
【００２０】
次に作用効果について説明する。
図７は実施の形態の電子機器側電気接触子４４をバッテリー側電気接触子２４に挿入した状態を示す第１の断面図、図８は実施の形態の電子機器側電気接触子４４をバッテリー側電気接触子２４に挿入した状態を示す第２の断面図である。
まず、図７に示すように、電子機器側電気接触子４４およびバッテリー側電気接触子２４の中心軸が合致した状態で電子機器側電気接触子４４をバッテリー側電気接触子２４に挿入した場合について説明する。
この場合、コンタクト４８の接触部６０全周がバッテリー側電気接触子２４の内周面の全周に弾接するため、コンタクト４８とバッテリー側電気接触子２４とが確実に電気的に接触し、電子機器側電気接触子４４およびバッテリー側電気接触子２４の電気的な接続がなされている。
次に、図８に示すように、バッテリー２０の孔２００４の位置精度のばらつきなどにより、電子機器側電気接触子４４およびバッテリー側電気接触子２４の中心軸が合致していない状態で電子機器側電気接触子４４をバッテリー側電気接触子２４に挿入した場合について説明する。
この場合、コンタクト４８の複数の接片５８の接触部６０がバッテリー側電気接触子２４の内周面に弾接するため、コンタクト４８とバッテリー側電気接触子２４の間に複数の接触点が形成され、コンタクト４８とバッテリー側電気接触子２４とが確実に電気的に接触し、電子機器側電気接触子４４およびバッテリー側電気接触子２４の電気的な接続がなされている。
ここで、第１筒状片５４と軸部５２の外周面５２０２との間に環状の空間Ｓが介在しているため、コンタクト４８は、バッテリー側電気接触子２４から加わる押圧力に応じて傾くことにより、コンタクト４８の接片５８の一部に過大な応力が発生することが回避され、接片５８に塑性変形（へたり）などが生じて接片５８の弾性が失われることが防止される。
そのため、接片５８とバッテリー側電気接触子２４とが適切な押圧力で接触することが常に維持でき、電子機器側電気接触子４４およびバッテリー側電気接触子２４の電気的な接続を確実に行う上で有利となる。
【００２１】
次に、比較例と比較して説明する。
図１２は比較例の電子機器側電気接触子９０の斜視図、図１３は比較例の電子機器側電気接触子９０の断面図である。
図１４は比較例の電子機器側電気接触子９０をバッテリー側電気接触子２４に挿入した状態を示す第１の断面図、図１５は比較例の電子機器側電気接触子９０をバッテリー側電気接触子２４に挿入した状態を示す第２の断面図である。
なお、以下では第１の実施の形態と同一または対応する部分、部材には同一の符号を付して説明を省略する。
図１２、図１３に示すように、比較例の電子機器側電気接触子９０は、第１筒状片５４および第２筒状片５６の双方が、軸部５２の外周面５２０２に弾接することで軸部５２に電気的に導通している。
【００２２】
まず、図１４に示すように、電子機器側電気接触子４４およびバッテリー側電気接触子２４の中心軸が合致した状態で電子機器側電気接触子４４をバッテリー側電気接触子２４に挿入した場合は、コンタクト４８の複数の接片５８の接触部６０がバッテリー側電気接触子２４の内周面に弾接するため、電子機器側電気接触子４４およびバッテリー側電気接触子２４は電気的に接続される。
ただし、後述するように、この従来例の電子機器側電気接触子４４では、コンタクト４８のばね特性の傾きが大きくて、バッテリー側電気接触子２４の内径にばらつきがある場合、コンタクト４８とバッテリー側電気接触子２４との接触力の変動幅が大きくて、安定な接触力を維持するには不利である。
一方、図１５に示すように、電子機器側電気接触子４４およびバッテリー側電気接触子２４の中心軸が合致していない状態で電子機器側電気接触子４４をバッテリー側電気接触子２４に挿入した場合については次のような不都合が生じる。
すなわち、バッテリー側電気接触子２４の径方向において電子機器側電気接触子４４がバッテリー側電気接触子２４に近接している側のコンタクト４８の接触部６０の部分がバッテリー側電気接触子２４によって強く押圧され、バッテリー側電気接触子２４の径方向において電子機器側電気接触子４４がバッテリー側電気接触子２４から離間している側のコンタクト４８の接触部６０の部分はバッテリー側電気接触子２４によって弱く押圧されることになる。
強く押圧されたコンタクト４８の接片５８の一部に過大な応力が発生し、その接片５８の塑性変形（へたり）が生じてしまう。
部品ばらつき、バッテリー装脱ばらつきなどで、多数回バッテリー装脱をすると、コンタクト４８の各接片５８が塑性変形を生じる可能性が存在する。接片５８の塑性変形は、コンタクト４８接触部６０の直径寸法減少を引き起す。
そのため、接片５８とバッテリー側電気接触子２４とが適切な押圧力で接触することができず、電子機器側電気接触子４４およびバッテリー側電気接触子２４の電気的な接続を確実に行う上で不利となる。
【００２３】
図９は実施の形態の電子機器側電気接触子４４のコンタクト４８および比較例の電子機器側電気接触子９０のコンタクト４８のばね特性を示す線図である。
図９において横軸はコンタクト４８の接触部６０の径方向の変位量を示し、縦軸はコンタクト４８の接触部６０に生じる接触力を示している。
実線Ａは実施の形態による電子機器側電気接触子４４のコンタクト４８のばね特性を示し、実線Ｂは比較例による電子機器側電気接触子４４のコンタクト４８のばね特性を示している。
実施の形態のコンタクト４８の弾性変形範囲ＬＡは比較例のコンタクト４８の弾性変形範囲ＬＢに比較して大きく確保されている。
また、ばね特性の傾きは実線Ａよりも実線Ｂの方が大きなものとなる。
これは、比較例のコンタクト４８では、第２筒状片５６から山形の頂部５８０６までの距離をＬ１とし、第１筒状片５４から山形の頂部５８０６までの距離をＬ２とした場合に、Ｌ１＞Ｌ２の関係を満たし、かつ、Ｌ２＜（Ｌ１＋Ｌ２）／２を満たしており、さらに、本発明と異なって第１筒状片５４および第２筒状片５６の双方が軸部５２の外周面５２０２に弾接されているため、長さがＬ１よりも短いＬ２に相当する接片５８部分のばね性の影響が表れていることによる。
したがって、電子機器側電気接触子４４をバッテリー側電気接触子２４内に挿入すると、バッテリー側電気接触子２４内径のばらつきによって、電子機器側電気接触子４４のコンタクト４８の接触部６０直径圧縮量が変動する。
その圧縮量の変動幅ΔＬに対する、比較例のコンタクト４８の接触力Ｎの変動量幅ΔＰＢと、実施の形態のコンタクト４８の接触力Ｎの変動量幅ΔＰＡとを比較すると、ΔＰＢ＞ΔＰＡとなり、実施の形態のコンタクト４８による接触力Ｎの変動幅が少なく、コンタクト４８とバッテリー側電気接触子２４との電気的な接触を安定して確保する上で有利となっている。
【００２４】
以上説明したように、本実施の形態によれば、第１筒状片５４および第２筒状片５６の一方を軸部５２の外周面５２０２に弾接することで、あるいは、固定されることで軸部５２に電気的に導通し、第１筒状片５４および第２筒状片５６の他方を軸部５２の外周面５２０２との間に環状の空間Ｓを介在させて配置した。
したがって、電子機器側電気接触子４４を相手側のバッテリー側電気接触子２４に挿入した場合に、コンタクト４８の接片５８に過大な応力が発生することがなく、接片５８の塑性変形（へたり）を回避できるため、電子機器側電気接触子４４およびバッテリー側電気接触子２４の電気的な接続を確実に行う上で有利となる。
【００２５】
なお、本実施の形態では、第２筒状片５６から山形の頂部５８０６までの距離をＬ１とし、第１筒状片５４から山形の頂部５８０６までの距離をＬ２とした場合に、Ｌ１＞Ｌ２の関係を満たし、かつ、Ｌ２＜（Ｌ１＋Ｌ２）／２を満たすようにしたが、例えば、Ｌ１＝Ｌ２としてもよい。
しかしながら、本実施の形態のようにすると、接触部６０がバッテリー側電気接触子２４の開口部２４０２近傍に留まることによって発生する接触不良の防止を図ることができ、電子機器側電気接触子４４およびバッテリー側電気接触子２４の電気的な接続を確実に行う上でより一層有利となる。
【００２６】
（第２の実施の形態）
次に第２の実施の形態について説明する。
第２の実施の形態は、ガイドピン４６の形状が第１の実施の形態と異なっている。
図１０は第２の実施の形態の電子機器側電気接触子４４の断面図である。
第１の実施の形態では、ガイドピン４６の軸部５２は、先端５２１２と、円錐面部５２１６と、基端５２１４とで構成されていたのに対し、第２の実施の形態では、軸部５２は、頭部５０の直径よりも小さい寸法の均一径の円筒面５２２０で形成されている。
このような第２の実施の形態によっても第１の実施の形態と同様の効果が奏される。
【００２７】
（第３の実施の形態）
次に第３の実施の形態について説明する。
第３の実施の形態は、ガイドピン４６の形状が第１の実施の形態と異なっている。
図１１は第３の実施の形態の電子機器側電気接触子４４の断面図である。
第１の実施の形態では、第２筒状片５６が軸部５２の基端５２１４に固定され、第１筒状片５４が、軸部５２の先端５２１２との間に環状の空間Ｓを介在させて配置されていたのに対し、第３の実施の形態では、第１筒状片５４が軸部５２の先端５２１２に固定され、第２筒状片５４が、軸部５２の基端５２１４との間に環状の空間Ｓを介在させて配置されている。
また、第３の実施の形態では、ガイドピン４６の軸部５２は、先端５２１２と、円錐面部５２１６と、基端５２１４とで構成され、第１の実施の形態と異なり、先端５２１２の直径は基端５２１４の直径よりも大きな寸法で形成され、円錐面部５２１６の向きは第１の実施の形態と逆向きになっている。
このような第３の実―施の形態によっても第１の実施の形態と同様の効果が奏される。
【００２８】
なお、実施の形態では、電子機器側電気接触子４４が撮像装置１０に設けられている場合について説明したが、本発明の電気接触子は、撮像装置に限定されるものではなく、さまざまな電子機器に広く適用可能である。
また、本実施の形態では、電子機器側電気接触子４４がバッテリー２０のバッテリー側電気接触子２４に接続されるものである場合について説明したが、本発明の電気接触子は、電源供給用に使用されるものに限定されるものではなく、電源以外のさまざまな信号を供給するために使用可能であることは無論である。
【図面の簡単な説明】
【００２９】
【図１】本実施の形態の撮像装置１０の側面図である。
【図２】撮像装置１０およびバッテリー２０の装脱を説明する説明図である。
【図３】電子機器側電気接触子４４の斜視図である。
【図４】電子機器側電気接触子４４の断面図である。
【図５】コンタクト４８を構成するばね材料４９の斜視図である。
【図６】コンタクト４８の斜視図である。
【図７】実施の形態の電子機器側電気接触子４４をバッテリー側電気接触子２４に挿入した状態を示す第１の断面図である。
【図８】実施の形態の電子機器側電気接触子４４をバッテリー側電気接触子２４に挿入した状態を示す第２の断面図である。
【図９】実施の形態の電子機器側電気接触子４４のコンタクト４８および比較例の電子機器側電気接触子９０のコンタクト４８のばね特性を示す線図である。
【図１０】第２の実施の形態の電子機器側電気接触子４４の断面図である。
【図１１】第３の実施の形態の電子機器側電気接触子４４の断面図である。
【図１２】比較例の電子機器側電気接触子９０の斜視図である。
【図１３】比較例の電子機器側電気接触子９０の断面図である。
【図１４】比較例の電子機器側電気接触子９０をバッテリー側電気接触子２４に挿入した状態を示す第１の断面図である。
【図１５】比較例の電子機器側電気接触子９０をバッテリー側電気接触子２４に挿入した状態を示す第２の断面図である。
【符号の説明】
【００３０】
１０……撮像装置、４４……電子機器側電気接触子、４６……ガイドピン、４８……コンタクト、５０……頭部、５２……軸部、５９……ばね材料、５４……第１筒状片、５６……第２筒状片、５８……接片、６０……接触部、Ｓ……空間。
【図１】
0004458181.tif 000002
【図２】
0004458181.tif 000003
【図３】
0004458181.tif 000004
【図４】
0004458181.tif 000005
【図５】
0004458181.tif 000006
【図６】
0004458181.tif 000007
【図７】
0004458181.tif 000008
【図８】
0004458181.tif 000009
【図９】
0004458181.tif 000010
【図１０】
0004458181.tif 000011
【図１１】
0004458181.tif 000012
【図１２】
0004458181.tif 000013
【図１３】
0004458181.tif 000014
【図１４】
0004458181.tif 000015
【図１５】
0004458181.tif 000016